(57)【要約】【課題】メーカ側の生産ラインにおける映像信号の不正コピー防止対策の認証を含むテスト工程の時間短縮を図れる光ディスク再生装置を提供する。【解決手段】電源がオンされて起動し、テストモードに設定されているとき、テレビジョン受像機のＥＤＩＤが取得され、ＨＤＣＰ認証に成功したＥＤＩＤがフラッシュＲＯＭに記憶されていると判定されたとき、前記取得されたＥＤＩＤは前記記憶されたＥＤＩＤと一致するか否かが判定される。ＨＤＣＰ認証に成功したＥＤＩＤが記憶されていないと判定されたときＨＤＣＰ認証が行われ、認証に成功したとき、ＥＤＩＤが記憶される。フラッシュＲＯＭにＥＤＩＤが記憶された後、映像信号および音声信号が出力され、また、前記取得ＥＤＩＤは前記記憶ＥＤＩＤと一致すると判定されたとき、ＨＤＣＰ認証を行わずに、映像信号および音声信号が出力される。【選択図】図４
2009094601.tif 000002
【特許請求の範囲】
【請求項１】
映像および音声の出力を行うＨＤＭＩ対応の映像音声出力機器に対して、映像信号および音声信号を出力するＨＤＭＩ対応の光ディスク再生装置において、
電源がオンされ起動したときに、テストモードに設定されているか否かを判定するテストモード設定判定手段と、
前記テストモードに設定されていると判定されたとき、ＨＤＭＩ接続されている前記映像音声出力機器のＥＤＩＤを取得するＥＤＩＤ取得手段と、
前記ＥＤＩＤが取得された後、以前に映像信号の不正コピー防止対策の認証に成功したＥＤＩＤがメモリに記憶されているか否かを判定するＥＤＩＤ記憶判定手段と、
前記以前に映像信号の不正コピー防止対策の認証に成功したＥＤＩＤがメモリに記憶されていると判定されたとき、前記取得されたＥＤＩＤは前記メモリに記憶されたＥＤＩＤと一致するか否かを判定するＥＤＩＤ一致判定手段と、
前記以前に映像信号の不正コピー防止対策の認証に成功したＥＤＩＤが前記メモリに記憶されていないと判定されたとき、または前記取得されたＥＤＩＤは前記メモリに記憶されたＥＤＩＤと一致しないと判定されたときに、映像信号の不正コピー防止対策の認証を行う不正コピー防止対策認証手段と、
前記映像信号の不正コピー防止対策の認証に成功したとき、前記映像信号の不正コピー防止対策の認証に成功したＥＤＩＤを前記メモリに記憶させるＥＤＩＤ記憶手段と、
前記メモリにＥＤＩＤが記憶された後、映像信号および音声信号を前記映像音声出力機器に出力させ、または、前記取得されたＥＤＩＤは前記メモリに記憶されたＥＤＩＤと一致すると判定されたとき、前記映像信号の不正コピー防止対策の認証を行わずに映像信号および音声信号を前記映像音声出力機器に出力させる映像音声出力手段とを備えたことを特徴とする光ディスク再生装置。
【請求項２】
前記映像信号の不正コピー防止対策の認証に成功したＥＤＩＤを前記メモリに記録させる個数は、光ディスク再生装置の仕様に任せて決定されることを特徴とする請求項１に記載の光ディスク再生装置。
【請求項３】
前記映像信号の不正コピー防止対策の認証をせずに前記映像音声出力手段が映像信号および音声信号の出力を開始したときは、認証成功後に行う定期的な認証や映像の解像度の変更による再認証も行わないことを特徴とする請求項１に記載の光ディスク再生装置。
【請求項４】
前記映像信号の不正コピー防止対策の認証は、ＨＤＣＰ技術を用いて行うことを特徴とする請求項１または請求項２または請求項３に記載の光ディスク再生装置。
【発明の詳細な説明】
【技術分野】
【０００１】
本発明は、映像および音声の出力を行うＨＤＭＩ対応の映像音声出力機器に対して、映像信号および音声信号を出力するＨＤＭＩ対応の光ディスク再生装置に関する。
【背景技術】
【０００２】
近年、ＤＶＤ（デジタルバーサタイルディスク）プレイヤやＢＤ（ブルーレイディスク）プレイヤなどの光ディスク再生装置が普及している。このような光ディスク再生装置に接続して用いる映像音声出力機器としては、テレビジョン受像機などが知られている。テレビジョン受像機の表示画面の超高精細化は、液晶パネル製造技術の進歩によって著しく発展して、非常に膨大な情報量のビデオデータを高精細に表示することが可能になった。このようなテレビジョン受像機では、非常に多くのビデオデータおよびオーディオデータを、光ディスク再生装置から送信させるため、ＨＤＭＩ（High Definition Multimedia Interface）と言うインターフェイスが用いられている。
【０００３】
ＨＤＭＩは、光ディスク再生装置からテレビジョン受像機やプロジェクタあるいはＡＶアンプなどの映像音声出力機器へビデオデータおよびオーディオデータを伝送するためのインターフェイスである。ＨＤＭＩは、従来の規格であるＤＶＩ（Digital Visual Interface for Computer）Ver1.0を拡張したものである。具体的には、ＤＶＩはビデオデータのみを送信する規格のインターフェイスであるのに対し、ＨＤＭＩは、ビデオデータの他、オーディオデータおよびその他のデータもひとつのケーブルで送信できる規格のインターフェイスである。更に、ＨＤＭＩは、高品質のマルチチャンネルのオーディオデータと高解像度の各種フォーマットのビデオデータの伝送が可能である。
【０００４】
ＨＤＭＩは、ＤＤＣ（Display Data Channel）通信により、各種の情報（モニタの情報、例えば、ＥＤＩＤデータ構造など）を伝送するのに用いられることも可能である。ＥＤＩＤ（Extended Display Identification Data）とは、映像音声出力機器の受信可能な解像度（映像の情報）、オーディオストリーム情報（音声形式などの音声の情報）、ＨＤＭＩ受信部の持つスピーカ情報、製造番号などの機器固有の情報などがある。また、ＨＤＭＩは、ひとつのケーブルでビデオデータおよびオーディオデータを伝送することができ、複数ケーブル接続の煩わしさがなくなるという利点を有している。光ディスク再生装置からＣＳＳ（Content Scrambling System）におけるコンテンツを出力する場合において、ＨＤＭＩは、ＣＰＡＣ（Copy Protection Advisory Council）により承認されている規格のインターフェイスになっている。
【０００５】
前記ＤＤＣとは、通信形式の名称であり、ビデオデータの表示条件やオーディオデータの条件のデータ以外に、ＨＤＭＩモニタに関する他のデータを併せて光ディスク再生装置に送信するのに用いられる回線である。ＤＤＣは、光ディスク再生装置内の通信線と接続されており、光ディスク再生装置と映像音声出力機器との間の回線を確立させるために用いられる。前記ＣＳＳは、データを暗号化して記録し、再生時に復号化するシステムである。また、ＨＤＭＩには、ＣＥＣ（Consumer Electronics Control）というコントロール機能が有り、光ディスク再生装置と映像音声出力機器との間でコマンドにより主電源をオンさせたりオフされたり、その他の制御が連動で行うことができる。
【０００６】
ところで、このような光ディスク再生装置では、映像信号の不正コピー防止対策として、例えば ＨＤＣＰ（high bandwidth digital content protection）の技術が用いられています。
【０００７】
図５は従来の光ディスク再生装置において起動してから映像音声信号を出力するまでの処理を説明するためのフローチャートである。このフローチャートを参照して従来の光ディスク再生装置において起動してから映像音声信号を出力するまでの処理について説明する。この従来の光ディスク再生装置は、ＨＤＭＩを介してテレビジョン受像機に接続されているものとする。
【０００８】
先ず、テレビジョン受像機の電源をオンした後、リモコンの電源キーを押下して光ディスク再生装置の電源をオンすると、光ディスク再生装置のシステムコントローラは、光ディスク再生装置の電源がオンされたことを検知し（ステップＳ１）、光ディスク再生装置を起動させる（ステップＳ２）。
【０００９】
そして、システムコントローラは、テレビジョン受像機からのＥＤＩＤを取得し（ステップＳ３）、ＨＤＣＰ認証を行い（ステップＳ４）、ＨＤＣＰ認証に成功したか否かを判定し（ステップＳ５）、成功すれば、映像信号および音声信号を出力開始するが（ステップＳ６）、失敗すれば、本処理を終了する。
【特許文献１】特開２００５−１０９７０３号公報
【特許文献２】特開２００７−９６６０４号公報
【特許文献３】特開２００６−２８７３６４号公報
【発明の開示】
【発明が解決しようとする課題】
【００１０】
このように従来の光ディスク再生装置では、起動させる毎に規格上定められたＨＤＣＰ認証を行うが、このＨＤＣＰ認証に例えば最低２〜３秒の時間を要するので、映像と音声がテレビジョン受像機に出力されるまでの時間が多くかかる。
【００１１】
しかしながら、このような光ディスク再生装置をユーザ側で使用する場合には、ＨＤＣＰ認証に最低２〜３秒の時間要し、映像と音声がテレビジョン受像機に出力されるまでの時間が遅くなっても、さほど問題ではないが、メーカ側の生産ラインにおけるテスト工程に時間が多くかかることになるので、生産コストの上昇にも繋がると言う課題が生じる。
【００１２】
なお、特許文献１の従来技術では、モニタなどの表示装置をＤＶＤ再生装置などの画像出力装置に接続する度に、表示装置における画像情報の表示条件の設定を的確に行うことができるようにしているが、この従来技術は、ＨＤＣＰ認証については開示されていない。
【００１３】
特許文献２の従来技術では、同じコンテンツの信号を複数の信号形式で選択的に送出する送信側装置において、自体の好適する信号を受け取るための受信仕様データを出力するようにしているが、この従来技術も、ＨＤＣＰ認証については開示されていない。
【００１４】
特許文献３の従来技術では、ＨＤＣＰについては開示されているが、メーカ側の生産ラインにおけるテスト工程でのＨＤＣＰ認証については開示されていない。
【００１５】
本発明は、上記のような課題を解決するためになされたもので、メーカ側の生産ラインにおける映像信号の不正コピー防止対策の認証を含むテスト工程の時間短縮を図れる光ディスク再生装置を提供することを目的とする。
【課題を解決するための手段】
【００１６】
上記目的を達成するために、請求項１の発明は、映像および音声の出力を行うＨＤＭＩ対応の映像音声出力機器に対して、映像信号および音声信号を出力するＨＤＭＩ対応の光ディスク再生装置において、電源がオンされ起動したときに、テストモードに設定されているか否かを判定するテストモード設定判定手段と、前記テストモードに設定されていると判定されたとき、ＨＤＭＩ接続されている前記映像音声出力機器のＥＤＩＤを取得するＥＤＩＤ取得手段と、前記ＥＤＩＤが取得された後、以前に映像信号の不正コピー防止対策の認証に成功したＥＤＩＤがメモリに記憶されているか否かを判定するＥＤＩＤ記憶判定手段と、前記以前に映像信号の不正コピー防止対策の認証に成功したＥＤＩＤがメモリに記憶されていると判定されたとき、前記取得されたＥＤＩＤは前記メモリに記憶されたＥＤＩＤと一致するか否かを判定するＥＤＩＤ一致判定手段と、前記以前に映像信号の不正コピー防止対策の認証に成功したＥＤＩＤが前記メモリに記憶されていないと判定されたとき、または前記取得されたＥＤＩＤは前記メモリに記憶されたＥＤＩＤと一致しないと判定されたときに、映像信号の不正コピー防止対策の認証を行う不正コピー防止対策認証手段と、前記映像信号の不正コピー防止対策の認証に成功したとき、前記映像信号の不正コピー防止対策の認証に成功したＥＤＩＤを前記メモリに記憶させるＥＤＩＤ記憶手段と、前記メモリにＥＤＩＤが記憶された後、映像信号および音声信号を前記映像音声出力機器に出力させ、または、前記取得されたＥＤＩＤは前記メモリに記憶されたＥＤＩＤと一致すると判定されたとき、前記映像信号の不正コピー防止対策の認証を行わずに映像信号および音声信号を前記映像音声出力機器に出力させる映像音声出力手段とを備えたことを特徴とする光ディスク再生装置を提供する。
【００１７】
この構成において、電源がオンされ起動したときに、テストモードに設定されていると判定されたとき、ＨＤＭＩ接続されている映像音声出力機器のＥＤＩＤが取得される。ＥＤＩＤが取得された後、以前に映像信号の不正コピー防止対策の認証に成功したＥＤＩＤがメモリに記憶されていると判定されたとき、前記取得されたＥＤＩＤは前記メモリに記憶されたＥＤＩＤと一致するか否かが判定される。前記以前に映像信号の不正コピー防止対策の認証に成功したＥＤＩＤが前記メモリに記憶されていないと判定されたとき、または前記取得されたＥＤＩＤは前記メモリに記憶されたＥＤＩＤと一致しないと判定されたときに、映像信号の不正コピー防止対策の認証が行われる。前記映像信号の不正コピー防止対策の認証に成功したとき、前記映像信号の不正コピー防止対策の認証に成功したＥＤＩＤが前記メモリに記憶される。前記メモリにＥＤＩＤが記憶された後、映像信号および音声信号が映像音声出力機器に出力され、また、前記取得されたＥＤＩＤは前記メモリに記憶されたＥＤＩＤと一致すると判定されたとき、前記映像信号の不正コピー防止対策の認証を行わずに映像信号および音声信号が映像音声出力機器に出力される。
【００１８】
この構成によれば、光ディスク再生装置がテストモードに設定されている場合、初めて起動したときは、映像音声出力機器からＥＤＩＤを取得し、映像信号の不正コピー防止対策の認証を行って、その認証に成功したときは、映像音声出力機器から取得した前記ＥＤＩＤをメモリに記憶しておき、映像信号および音声信号を映像音声出力機器に出力し、次に起動したときに映像音声出力機器から取得したＥＤＩＤが前記メモリに記憶されているＥＤＩＤと一致したときは、映像信号の不正コピー防止対策の認証に関して実績があるとして、その認証をせずに映像信号および音声信号を映像音声出力機器に出力するようにしたので、メーカ側の生産ラインにおける映像信号の不正コピー防止対策の認証を含むテスト工程の時間短縮を図れ、これにより、生産コストを下げることが可能になる。
【００１９】
請求項２の発明では、請求項１の発明において、映像信号の不正コピー防止対策の認証に成功したＥＤＩＤをメモリに記録させる個数は、光ディスク再生装置の仕様に任せて決定されるので、その仕様に応じた有効なＥＤＩＤのみが前記メモリに記憶され、前記メモリを有効利用できる。
【００２０】
請求項３の発明では、請求項１の発明において、前記映像信号の不正コピー防止対策の認証をせずに前記映像音声出力手段が映像信号および音声信号の出力を開始したときは、認証成功後に行う定期的な認証や映像の解像度の変更による再認証も行わないようにしたので、メーカ側の生産ラインにおける映像信号の不正コピー防止対策の認証を含むテスト工程の時間を短縮することが可能になる。
【００２１】
請求項４の発明では、請求項３の発明において、映像信号の不正コピー防止対策の認証は、ＨＤＣＰ技術を用いて行うので、ＨＤＣＰにより映像信号の不正コピー防止対策の認証が可能になる。
【発明の効果】
【００２２】
以上のように本発明によれば、光ディスク再生装置がテストモードに設定されている場合、初めて起動したときは、映像音声出力機器からＥＤＩＤを取得し、映像信号の不正コピー防止対策の認証を行って、その認証に成功したときは、映像音声出力機器から取得した前記ＥＤＩＤをメモリに記憶しておき、映像信号および音声信号を映像音声出力機器に出力し、次に起動したときに映像音声出力機器から取得したＥＤＩＤが前記メモリに記憶されているＥＤＩＤと一致したときは、映像信号の不正コピー防止対策の認証に関して実績があるとして、その認証をせずに映像信号および音声信号を映像音声出力機器に出力するようにしたので、メーカ側の生産ラインにおける映像信号の不正コピー防止対策の認証を含むテスト工程の時間短縮を図れ、これにより、生産コストを下げることが可能になる。
【発明を実施するための最良の形態】
【００２３】
以下、添付図面を参照しつつ、本発明の実施の形態について説明する。図１は本発明の一実施形態に係る光ディスク再生装置が映像音声出力機器としてのテレビジョン受像機に接続された場合の構成を示すブロック図である。なお、ここでは、光ディスク再生装置のテストモード時において、起動してから映像音声信号を出力するまでの処理を説明するが、再生だけでなく記録も可能な光ディスク記録再生装置も再生部を含んでいるので、光ディスク記録再生装置であっても、テストモード時において、起動してから映像音声信号を出力するまでの本処理を適用できることは言うまでもない。したがって、光ディスク記録再生装置であっても同様な効果を得ることができる。また、映像音声出力機器として、テレビジョン受像機を例に挙げて説明するが、これに限らず、プロジェクタあるいはＡＶアンプなどでも良い。
【００２４】
図１において、光ディスク再生装置１は、装置全体を制御するマイクロコンピュータなどを含むシステムコントローラ１１と、リモコン４から送信されてきたキーコード（リモコンコード）を受信するリモコン受信部１２と、ＨＤＭＩ（High Definition Multimedia Interface）ケーブル３によって接続されるテレビジョン受像機２のメーカ名とリモコンコードとの対応関係を示すテーブルなどを記憶したフラッシュＲＯＭ１３と、文字情報をテレビジョン受像機２に表示させるＯＳＤ（On Screen Display ）回路１４と、ＤＶＤやＣＤやＢＤなどの光ディスクの記録情報を再生する再生部１５と、ＨＤＭＩケーブル３を介してテレビジョン受像機２と通信を行うＨＤＭＩ通信部１６とを備えている。
【００２５】
システムコントローラ１１は、本実施形態の特徴として、電源がオンされ起動したときに、テストモードに設定されているか否かを判定するテストモード設定判定手段と、前記テストモードに設定されていると判定されたとき、ＨＤＭＩ接続されている例えばテレビジョン受像機２のＥＤＩＤを取得するＥＤＩＤ取得手段と、前記ＥＤＩＤが取得された後、以前に映像信号の不正コピー防止対策の認証であるＨＤＣＰ認証に成功したＥＤＩＤがフラッシュＲＯＭ１３に記憶されているか否かを判定するＥＤＩＤ記憶判定手段と、前記以前にＨＤＣＰ認証に成功したＥＤＩＤがフラッシュＲＯＭ１３に記憶されていると判定されたとき、前記取得されたＥＤＩＤはフラッシュＲＯＭ１３に記憶されたＥＤＩＤと一致するか否かを判定するＥＤＩＤ一致判定手段と、前記以前にＨＤＣＰ認証に成功したＥＤＩＤがフラッシュＲＯＭ１３に記憶されていないと判定されたとき、または前記取得されたＥＤＩＤはフラッシュＲＯＭ１３に記憶されたＥＤＩＤと一致しないと判定されたときに、ＨＤＣＰ認証を行う不正コピー防止対策認証手段と、前記ＨＤＣＰ認証に成功したとき、前記ＨＤＣＰ認証に成功したＥＤＩＤをフラッシュＲＯＭ１３に記憶させるＥＤＩＤ記憶手段と、フラッシュＲＯＭ１３にＥＤＩＤが記憶された後、映像信号および音声信号を例えばテレビジョン受像機２に出力させ、または、前記取得されたＥＤＩＤはフラッシュＲＯＭ１３に記憶されたＥＤＩＤと一致すると判定されたとき、ＨＤＣＰ認証を行わずに映像信号および音声信号を例えばテレビジョン受像機２に出力させる映像音声出力手段とを備えている。
【００２６】
テレビジョン受像機２は、受像機全体を制御するマイクロコンピュータを含む制御部２１と、制御部２１の制御プログラムや受像機のメーカ名を含む所定形式の識別子データを有するＥＤＩＤ（Extended Display Identification Data）などを記憶したフラッシュＲＯＭ２２と、映像回路およびディスプレイ装置などを含み映像を表示する映像表示部２３と、音声回路およびスピーカなどを含み音声を出力する音声出力部２４と、ＨＤＭＩケーブル３を介して光ディスク再生装置１と通信を行うＨＤＭＩ通信部２５と、テレビジョン受像機２に付属のリモコン５から送信されてきたキーコードを受信するリモコン受信部２６とを備えている。
【００２７】
リモコン４は、リモコン全体を制御するマイクロコンピュータを含む制御部４１と、操作キー番号が予め割り当てられ光ディスク再生装置１やテレビジョン受像機２を遠隔操作する複数の操作キーが設けられた操作パネル４２と、操作パネル４２の操作キーに対応したキーコードを光ディスク再生装置１、あるいは光ディスク再生装置１およびＨＤＭＩケーブル３を介してテレビジョン受像機２に送信するリモコン送信部４３と、複数のキーコードを操作パネル４２の操作キーの操作キー番号に対応したアドレスに記憶するフラッシュＲＯＭ４４とを備えている。
【００２８】
図２は本実施形態において光ディスク再生装置に付属のリモコン４におけるキー配置の一例を示す図である。図２において、リモコン４の操作パネル４２には、電源キー４０１、トレイ開閉キー４０２、音量キー４０３、複数の数字キー４０４、ＤＶＤモード切換キー４０５、ＴＶモード切換キー４０６、再生リストキー４０７、メニューキー４０８、上方向きー４０９、下方向キー４１０、左方向キー４１１、右方向キー４１２、決定キー４１３、早戻しキー４１４、停止キー４１５、再生キー４１６、早送りキー４１７などが配置されている。なお、ここでのキーの配置や個数は一例であるので、これに限ることはない。
【００２９】
図３は本実施形態において光ディスク再生装置とテレビジョン受像機とがＨＤＭＩケーブルにより接続されている状態を示す斜視図である。図３に示すように、光ディスク再生装置１は、ＨＤＭＩケーブル３を介してテレビジョン受像機２に接続されている。
【００３０】
図４は本実施形態において起動してから映像音声信号を出力するまでの処理を説明するためのフローチャートである。このフローチャートおよび図１〜図３を参照して光ディスク再生装置において起動してから映像音声信号を出力するまでの処理について説明する。この光ディスク再生装置１は、ＨＤＭＩケーブル３を介してテレビジョン受像機２に接続されているものとする。
【００３１】
先ず、テレビジョン受像機２の電源（主電源）をリモコン５の操作によりオンした後、リモコン４の電源キー４０１を押下して光ディスク再生装置１の電源（主電源）をオンすると、光ディスク再生装置１のシステムコントローラ１１は、光ディスク再生装置１の電源がオンされたことを検知し（ステップＮ１）、光ディスク再生装置１を起動させる（ステップＮ２）。
【００３２】
そして、メーカ側の検査員は、光ディスク再生装置１をテストモードにするために、リモコン４を操作して、予め定めたテストモード用パスワードをリモコン送信部４３から光ディスク再生装置１のリモコン受信部１２に送信する。これにより、光ディスク再生装置１におけるシステムコントローラ１１のテストモード設定判定手段は、光ディスク再生装置１がテストモードに設定されたと判定する（ステップＮ３）。
【００３３】
次に、システムコントローラ１１のＥＤＩＤ取得手段は、前記テストモードに設定されていると判定されたとき、ＨＤＭＩ接続されているテレビジョン受像機２のＥＤＩＤを取得する（ステップＮ４）。即ち、テレビジョン受像機２では、前記ＥＤＩＤ取得手段からの指示により、制御部２１は、フラッシュＲＯＭ２２からＥＤＩＤを読み出し、ＨＤＭＩ通信部２５およびＨＤＭＩケーブル３を介して送信する。光ディスク再生装置１では、ＨＤＭＩ通信部１６によりテレビジョン受像機２のＥＤＩＤを受信し、システムコントローラ１１のＥＤＩＤ取得手段は、ＨＤＭＩ通信部１６から前記ＥＤＩＤを取得する。
【００３４】
この後、システムコントローラ１１のＥＤＩＤ記憶判定手段は、以前に映像信号の不正コピー防止対策の認証であるＨＤＣＰ認証に成功したＥＤＩＤがフラッシュＲＯＭ１３に記憶されているか否かを判定する（ステップＮ５）。以前にＨＤＣＰ認証に成功したＥＤＩＤがフラッシュＲＯＭ１３に記憶されていないと判定されたとき、システムコントローラ１１の不正コピー防止対策認証手段は、テレビジョン受像機２から取得したＥＤＩＤによりＨＤＣＰ認証を行う（ステップＮ６）。
【００３５】
そして、ＨＤＣＰ認証に成功すれば（ステップＮ７）、システムコントローラ１１のＥＤＩＤ記憶手段は、ＨＤＣＰ認証に成功したＥＤＩＤをフラッシュＲＯＭ１３に記憶する（ステップＮ８）。この後、システムコントローラ１１は、再生部１５からの映像信号および音声信号を、ＨＤＭＩ通信部１６を介してＨＤＭＩケーブル３に出力開始する（ステップＮ１０）。テレビジョン受像機２においては、ＨＤＭＩケーブル３を介してＨＤＭＩ通信部２５で受信した映像信号は、映像表示部２３に入力され、音声信号は、音声出力部２４に入力される。したがって、映像表示部２３には映像が表示され、音声出力部２４からは音声が出力される。なお、ＨＤＣＰ認証に成功したＥＤＩＤをフラッシュＲＯＭ１３に記録させる個数は、光ディスク再生装置１の仕様に任せて決定されるので、その仕様に応じた有効なＥＤＩＤのみがフラッシュＲＯＭ１３に記憶され、フラッシュＲＯＭ１３を有効利用できる。
【００３６】
一方、以前にＨＤＣＰ認証に成功したＥＤＩＤがフラッシュＲＯＭ１３に記憶されていると判定されたとき（ステップＮ５）、即ち、光ディスク再生装置１をテストするために、初めて光ディスク再生装置１を起動させた場合には、ステップＮ６〜Ｎ８の処理で、ＨＤＣＰ認証に成功したＥＤＩＤがフラッシュＲＯＭ１３に記憶されていることになるので、以前にＨＤＣＰ認証に成功したＥＤＩＤがフラッシュＲＯＭ１３に記憶されていると判定されることになる。
【００３７】
そして、システムコントローラ１１のＥＤＩＤ一致判定手段は、初めて起動した後の次の起動でテレビジョン受像機２から取得したＥＤＩＤが、フラッシュＲＯＭ１３に記憶されたＥＤＩＤと一致するか否かを判定する（ステップＮ９）。前記取得したＥＤＩＤは、フラッシュＲＯＭ１３に記憶されたＥＤＩＤと一致しないと判定されたときに、システムコントローラ１１の不正コピー防止対策認証手段は、テレビジョン受像機２から取得したＥＤＩＤによりＨＤＣＰ認証を行う（ステップＮ６）。
【００３８】
そして、ＨＤＣＰ認証に成功すれば（ステップＮ７）、システムコントローラ１１のＥＤＩＤ記憶手段は、ＨＤＣＰ認証に成功したＥＤＩＤをフラッシュＲＯＭ１３に記憶する（ステップＮ８）。この後、システムコントローラ１１の映像音声信号出力手段は、再生部１５からの映像信号および音声信号を、ＨＤＭＩ通信部１６を介してＨＤＭＩケーブル３に出力開始する（ステップＮ１０）。テレビジョン受像機２においては、ＨＤＭＩケーブル３を介してＨＤＭＩ通信部２５で受信した映像信号は、映像表示部２３に入力され、音声信号は、音声出力部２４に入力される。したがって、映像表示部２３には映像が表示され、音声出力部２４からは音声が出力される。
【００３９】
一方、前記取得したＥＤＩＤは、フラッシュＲＯＭ１３に記憶されたＥＤＩＤと一致すると判定されたときには（ステップＮ９）、システムコントローラ１１の不正コピー防止対策認証手段はＨＤＣＰ認証を行わず、そして、システムコントローラ１１の映像音声信号出力手段は、再生部１５からの映像信号および音声信号を、ＨＤＭＩ通信部１６を介してＨＤＭＩケーブル３に出力開始する（ステップＮ１０）。テレビジョン受像機２においては、ＨＤＭＩケーブル３を介してＨＤＭＩ通信部２５で受信した映像信号は、映像表示部２３に入力され、音声信号は、音声出力部２４に入力される。したがって、映像表示部２３には映像が表示され、音声出力部２４からは音声が出力される。このように、ＨＤＣＰ認証をせずに前記映像音声出力手段が映像信号および音声信号の出力を開始したときは、認証成功後に行う定期的な認証や映像の解像度の変更による再認証も行わないようにする。これにより、メーカ側の生産ラインにおける映像信号の不正コピー防止対策の認証を含むテスト工程の時間を短縮することが可能になる。
【００４０】
なお、光ディスク再生装置１のテストが完了すると、テストモードは解除されるので、光ディスク再生装置１は、ユーザが使用する通常の状態、即ち、規格で定められているＨＤＣＰ認証が起動時に常に行われる状態に戻される。この状態での処理は次のようになる。
【００４１】
先ず、テレビジョン受像機２の電源をオンした後、リモコン４の電源キー４０１を押下して光ディスク再生装置１の電源をオンすると、光ディスク再生装置１のシステムコントローラ１１は、光ディスク再生装置１の電源がオンされたことを検知し（ステップＮ１）、光ディスク再生装置１を起動させる（ステップＮ２）。
【００４２】
そして、システムコントローラ１１は、テストモードに設定されていないことを検知し（ステップＮ３）、テレビジョン受像機２からのＥＤＩＤを取得し（ステップＮ１１）、ＨＤＣＰ認証を行い（ステップＮ１２）、ＨＤＣＰ認証に成功したか否かを判定し（ステップＮ１３）、成功すれば、映像信号および音声信号を出力開始するが（ステップＮ１４）、失敗すれば、本処理を終了する。
【００４３】
以上説明したように本実施形態によれば、光ディスク再生装置１がテストモードに設定されている場合、初めて起動したときは、テレビジョン受像機２からＥＤＩＤを取得し、映像信号の不正コピー防止対策の認証であるＨＤＣＰ認証を行って、その認証に成功したときは、テレビジョン受像機２から取得した前記ＥＤＩＤをフラッシュＲＯＭ１３に記憶しておき、映像信号および音声信号をテレビジョン受像機２に出力し、次に起動したときにテレビジョン受像機２から取得したＥＤＩＤがフラッシュＲＯＭ１３に記憶されているＥＤＩＤと一致したときは、ＨＤＣＰ認証に関して実績があるとして、その認証をせずに映像信号および音声信号をテレビジョン受像機２に出力するようにしたので、メーカ側の生産ラインにおけるＨＤＣＰ認証を含むテスト工程の時間短縮を図れ、これにより、生産コストを下げることが可能になる。
【産業上の利用可能性】
【００４４】
本発明は、映像および音声の出力を行うＨＤＭＩ対応の映像音声出力機器に対して、映像信号および音声信号を出力するＨＤＭＩ対応の光ディスク再生装置のテストに利用可能である。
【図面の簡単な説明】
【００４５】
【図１】本発明の一実施形態に係る光ディスク再生装置が映像音声出力機器としてのテレビジョン受像機に接続された場合の構成を示すブロック図である。
【図２】前記実施形態において光ディスク再生装置に付属のリモコンにおけるキー配置の一例を示す図である。
【図３】前記実施形態において光ディスク再生装置とテレビジョン受像機とがＨＤＭＩケーブルにより接続されている状態を示す斜視図である。
【図４】前記実施形態において起動してから映像音声信号を出力するまでの処理を説明するためのフローチャートである。
【図５】従来の光ディスク再生装置において起動してから映像音声信号を出力するまでの処理を説明するためのフローチャートである。
【符号の説明】
【００４６】
１    光ディスク再生装置
２    テレビジョン受像機（映像音声出力機器）
１１    システムコントローラ（テストモード設定判定手段、ＥＤＩＤ取得手段、ＥＤＩＤ記憶判定手段、ＥＤＩＤ一致判定手段、不正コピー防止対策認識手段、ＥＤＩＤ記憶手段、映像音声出力手段）
１３    フラッシュＲＯＭ（メモリ）
【図１】
2009094601.tif 000003
【図２】
2009094601.tif 000004
【図３】
2009094601.tif 000005
【図４】
2009094601.tif 000006
【図５】
2009094601.tif 000007